(57)【特許請求の範囲】
【請求項１】
発光素子およびこの発光素子から発光された光をモニタするためのモニタ光を受光する受光素子を有する光電変換装置と、光伝送体との間に配置された状態で、前記発光素子と前記光伝送体とを光学的に結合可能とされた光レセプタクルであって、
前記発光素子からの前記光の入射および前記受光素子に向けた前記モニタ光の出射が行われる光レセプタクル本体における前記光電変換装置側の第１の面と、
この第１の面と反対側の前記光レセプタクル本体における第２の面上に、前記第１の面に入射した前記発光素子の前記光が内部入射するように配置され、内部入射した前記発光素子の光を、全反射を利用して前記モニタ光と前記光伝送体に結合すべき結合光とに分割する光分割面と、
前記第２の面上における前記光分割面に対する前記モニタ光および前記結合光の全反射方向側の位置に凹設された凹部の内斜面によって形成され、前記光分割面側から入射した前記モニタ光を前記第１の面における前記受光素子に対応する位置に向けて反射させるモニタ光反射面と、
前記凹部における前記モニタ光反射面よりも前記第２の面側の部位を通過した前記結合光が、前記光伝送体に向けて出射される前記光レセプタクル本体における前記光伝送体側の第３の面と
を備え、
前記光分割面は、前記第１の面に対して角度α〔°〕の傾斜角を有する第１の仮想基準平面から前記第１の面と反対側に膨出するように形成された第１の曲面と、
この第１の曲面に連接されるとともに、前記第１の面に対して角度β〔°〕の傾斜角を有する第２の仮想基準平面から前記第１の面と反対側に膨出するように形成された第２の曲面と
を有し、
αおよびβは、次の（１）に示す条件式、
α＞β＞臨界角      （１）
を満足し、
前記発光素子の光における一部の光は、前記第１の曲面に前記臨界角よりも大きい入射角で内部入射して前記結合光として全反射され、
前記発光素子の光における前記一部の光以外の他の一部の光は、前記第２の曲面に、前記臨界角よりも大きくかつ前記第１の曲面における前記入射角よりも小さい入射角で内部入射して前記モニタ光として全反射されること
を特徴とする光レセプタクル。
【請求項２】
前記第２の曲面は、前記第１の曲面に対して前記第１の面側に配置されていること
を特徴とする請求項１に記載の光レセプタクル。
【請求項３】
前記第１の曲面および前記第２の曲面は、自由曲面とされていること
を特徴とする請求項１または２に記載の光レセプタクル。
【請求項４】
前記第１の面上に、前記発光素子の光を前記光分割面に向けて入射させる第１のレンズ面が形成され、
前記第３の面上に、前記結合光を前記光伝送体に向けて収束させるようにして出射させる第２のレンズ面が形成されていること
を特徴とする請求項１〜３のいずれか１項に記載の光レセプタクル。
【請求項５】
前記第１の曲面および前記第２の曲面のそれぞれの面頂点は、前記第１のレンズ面上の光軸および前記第２のレンズ面上の光軸を含む仮想平面上に配置されていること
を特徴とする請求項４に記載の光レセプタクル。
【請求項６】
前記モニタ光反射面は、前記モニタ光が臨界角よりも大きい入射角で内部入射するように配置された前記凹部の内斜面のみからなる全反射面とされていること
を特徴とする請求項１〜５のいずれか１項に記載の光レセプタクル。
【請求項７】
請求項１〜６のいずれか１項に記載の光レセプタクルと、
請求項１に記載の光電変換装置と
を備えたことを特徴とする光モジュール。
【発明の詳細な説明】
【技術分野】
【０００１】
本発明は、光レセプタクルおよびこれを備えた光モジュールに係り、特に、発光素子と光伝送体とを光学的に結合するのに好適な光レセプタクルおよびこれを備えた光モジュールに関する。
【背景技術】
【０００２】
従来から、光ファイバを用いた光通信には、面発光レーザ（例えば、ＶＣＳＥＬ：Vertical Cavity Surface Emitting Laser）等の発光素子を備えた光モジュールが用いられていた。
【０００３】
この種の光モジュールには、光レセプタクルと称される光モジュール部品が用いられており、この光レセプタクルは、発光素子から出射された通信情報を含む光を光ファイバの端面に結合させることによって、光ファイバを介した光送信に用いられるようになっていた。
【０００４】
また、従来から、光モジュールにおいては、温度変化に対する発光素子の出力特性の安定化や光出力の調整を目的として、発光素子から出射された光（強度や光量）をモニタ（監視）するための種々の提案がなされていた。
【０００５】
例えば、特許文献１においては、レンズアレイ本体の凹部内に反射／透過層を配置し、この反射／透過層によって、発光素子の光を光ファイバに結合すべき結合光とモニタ光とに分割するレンズアレイの発明が提案されている。
【先行技術文献】
【特許文献】
【０００６】
【特許文献１】特開２０１１−１３３８０７
【発明の概要】
【発明が解決しようとする課題】
【０００７】
特許文献１に記載の発明おいては、モニタ光を反射／透過層における反射によって得るとともに、モニタ光と結合光との光量比の調整を、反射／透過層を構成する金属単層膜または誘電体多層膜の材質や厚みの選択によって行うようになっていた。
【０００８】
これに対して、本発明者は、特許文献１に記載の発明よりも少ない部品点数によるモニタ光の取得およびモニタ光と結合光との光量比の調整を実現するとともに、光路のレイアウトの自由度を確保すべく鋭意研究を行い、本発明をなすに至った。
【０００９】
本発明は、このような点に鑑みなされたものであり、モニタをともなう光送信を簡易な構成によって実現するとともに、光路のレイアウトの自由度を確保することができる光レセプタクルおよびこれを備えた光モジュールを提供することを目的とするものである。
【課題を解決するための手段】
【００１０】
前述した目的を達成するため、本発明の請求項１に係る光レセプタクルの特徴は、発光素子およびこの発光素子から発光された光をモニタするためのモニタ光を受光する受光素子を有する光電変換装置と、光伝送体との間に配置された状態で、前記発光素子と前記光伝送体とを光学的に結合可能とされた光レセプタクルであって、前記発光素子からの前記光の入射および前記受光素子に向けた前記モニタ光の出射が行われる光レセプタクル本体における前記光電変換装置側の第１の面と、この第１の面と反対側の前記光レセプタクル本体における第２の面上に、前記第１の面に入射した前記発光素子の前記光が内部入射するように配置され、内部入射した前記発光素子の光を、全反射を利用して前記モニタ光と前記光伝送体に結合すべき結合光とに分割する光分割面と、前記第２の面上における前記光分割面に対する前記モニタ光および前記結合光の全反射方向側の位置に凹設された凹部の内斜面によって形成され、前記光分割面側から入射した前記モニタ光を前記第１の面における前記受光素子に対応する位置に向けて反射させるモニタ光反射面と、前記凹部における前記モニタ光反射面よりも前記第２の面側の部位を通過した前記結合光が、前記光伝送体に向けて出射される前記光レセプタクル本体における前記光伝送体側の第３の面とを備え、前記光分割面は、前記第１の面に対して角度α〔°〕の傾斜角を有する第１の仮想基準平面から前記第１の面と反対側に膨出するように形成された第１の曲面と、この第１の曲面に連接されるとともに、前記第１の面に対して角度β〔°〕の傾斜角を有する第２の仮想基準平面から前記第１の面と反対側に膨出するように形成された第２の曲面とを有し、αおよびβは、次の（１）に示す条件式、α＞β＞臨界角・・・（１）を満足し、前記発光素子の光における一部の光は、前記第１の曲面に前記臨界角よりも大きい入射角で内部入射して前記結合光として全反射され、前記発光素子の光における前記一部の光以外の他の一部の光は、前記第２の曲面に、前記臨界角よりも大きくかつ前記第１の曲面における前記入射角よりも小さい入射角で内部入射して前記モニタ光として全反射される点にある。
【００１１】
そして、この請求項１に係る発明によれば、光分割面における全反射を利用して、発光素子の光をモニタ光と結合光とに分割することができるので、モニタ光の取得およびモニタ光と結合光との光量比の調整を、光分割面の面形状といった幾何学的な構成のみによって実現することができ、また、光分割面を構成する第１の曲面および第２の曲面の集光機能および全反射方向制御機能を利用して、結合光およびモニタ光を、所望の方向に向けて全反射させなが収束させることができるので、各光の光路を自由にレイアウトすることができる。
【００１２】
また、請求項２に係る光レセプタクルの特徴は、請求項１において、更に、前記第２の曲面は、前記第１の曲面に対して前記第１の面側に配置されている点にある。
【００１３】
そして、この請求項２に係る発明によれば、モニタ光反射面を経由して第１の面から出射されるモニタ光の光路を設計し易くすることができる。
【００１４】
さらに、請求項３に係る光レセプタクルの特徴は、請求項１または２において、更に、前記第１の曲面および前記第２の曲面は、自由曲面とされている点にある。
【００１５】
そして、この請求項３に係る発明によれば、モニタ光および結合光の光路のレイアウトの自由度を更に向上させることができる。
【００１６】
さらにまた、請求項４に係る光レセプタクルの特徴は、請求項１〜３のいずれか１項において、更に、前記第１の面上に、前記発光素子の光を前記光分割面に向けて入射させる第１のレンズ面が形成され、前記第３の面上に、前記結合光を前記光伝送体に向けて収束させるようにして出射させる第２のレンズ面が形成されている点にある。
【００１７】
そして、この請求項４に係る発明によれば、光伝送体への結合光の結合をさらに適切に行うことができる。
【００１８】
また、請求項５に係る光レセプタクルの特徴は、請求項４において、更に、前記第１の曲面および前記第２の曲面のそれぞれの面頂点は、前記第１のレンズ面上の光軸および前記第２のレンズ面上の光軸を含む仮想平面上に配置されている点にある。
【００１９】
そして、この請求項５に係る発明によれば、より簡便な光路設計を行うことができる。
【００２０】
さらに、請求項６に係る光レセプタクルの特徴は、請求項１〜５のいずれか１項において、更に、前記モニタ光反射面は、前記モニタ光が臨界角よりも大きい入射角で内部入射するように配置された前記凹部の内斜面のみからなる全反射面とされている点にある。
【００２１】
そして、この請求項６に係る発明によれば、部品点数をさらに削減することができる。
【００２２】
さらにまた、請求項７に係る光モジュールの特徴は、請求項１〜６のいずれか１項に記載の光レセプタクルと、請求項１に記載の光電変換装置とを備えた点にある。
【００２３】
そして、この請求項７に係る発明によれば、モニタをともなう光送信を光分割面の幾何学的な構成のみによって実現するとともに、光分割面の集光機能および全反射方向制御機能を利用して、光路のレイアウトの自由度を確保することができる。
【発明の効果】
【００２４】
本発明によれば、モニタをともなう光送信を簡易な構成によって実現するとともに、光路のレイアウトの自由度を確保することができる。
【図面の簡単な説明】
【００２５】
【図１】本発明に係る光レセプタクルおよびこれを備えた光モジュールの実施形態を示す概略構成図
【図２】図１に示す光レセプタクルの平面図
【図３】図１に示す光レセプタクルの要部拡大図
【発明を実施するための形態】
【００２６】
以下、本発明に係る光レセプタクルおよびこれを備えた光モジュールの実施形態について、図１〜図３を参照して説明する。
【００２７】
図１は、本実施形態における光モジュール１の概要を本実施形態における光レセプタクル２の縦断面図とともに示す概略構成図である。また、図２は、図１に示す光レセプタクル２の平面図である。なお、図１に示す光レセプタクル２は、図２のＡ−Ａ断面に該当する。
【００２８】
図１に示すように、本実施形態における光レセプタクル２（光レセプタクル本体）は、光電変換装置３と光伝送体としての光ファイバ５との間に配置されるようになっている。
【００２９】
ここで、図１の光電変換装置３は、基板実装型の光電変換装置３とされている。すなわち、図１に示すように、光電変換装置３は、光レセプタクル２の下端面２ａに対して平行に配置される半導体基板（回路基板）６における光レセプタクル２側の面（上面）に、この面に対して垂直方向（上方向）にレーザ光Ｌａを出射（発光）させる１つの発光素子７を有しており、この発光素子７は、前述したＶＣＳＥＬ（垂直共振器面発光レーザ）を構成している。また、光電変換装置３は、半導体基板６における光レセプタクル２側の面上であって、発光素子７に対する図１における右方位置に、発光素子７から出射されたレーザ光Ｌａの出力（例えば、強度や光量）をモニタするためのモニタ光Ｍを受光する１つの受光素子８を有している。この受光素子８は、フォトディテクタであってもよい。さらに、図示はしないが、半導体基板６における光レセプタクル２側の面上には、受光素子８によって受光されたモニタ光Ｍの強度や光量に基づいて発光素子７から発光されるレーザ光Ｌａの出力を制御する制御回路等の電子部品が実装されており、この電子部品は、配線を介して発光素子７および受光素子８に電気的に接続されている。このような光電変換装置３は、例えば、半導体基板６と光レセプタクル２との間に配置された接着剤（例えば、熱／紫外線硬化性樹脂）等の公知の固定手段によって光レセプタクル２に取り付けられることにより、光レセプタクル２とともに光モジュール１を構成するようになっている。
【００３０】
また、図１に示すように、光ファイバ５は、端面５ａ側の所定長さの部位が、この部位を保持する円筒状のフェルール９とともに、光レセプタクル２に形成された筒状の光ファイバ取付部４内に着脱可能に取り付けられている。この取り付け状態において、光ファイバ５における端面５ａ側の部位（光ファイバ取付部４内に収容された部位）は、半導体基板６に対して平行となっている。なお、光ファイバ５は、シングルモード光ファイバおよびマルチモード光ファイバのいずれであってもよい。
【００３１】
そして、光レセプタクル２は、このような光電変換装置３と光ファイバ５との間に配置された状態で、発光素子７と光ファイバ５の端面５ａとを光学的に結合させるようになっている。
【００３２】
この光レセプタクル２について更に詳述すると、図１に示すように、光レセプタクル２は、各種の光学面を有する主要部の外形が略台形柱状に形成されている。すなわち、図１および図２に示すように、光レセプタクル２の主要部は、第１の面としての下端面２ａと、第２の面としての上端水平面２ｂおよび上端傾斜面２ｃと、第３の面としての右端面２ｄと、前端面２ｅおよび後端面２ｆとの各面によって大まかな外形を構成している。また、下端面２ａと上端水平面２ｂとは互いに平行とされている。なお、前述した光ファイバ取付部４は、右端面２ｄから右方に延出するように形成されている。
【００３３】
このような光レセプタクル２は、例えば、ポリエーテルイミド等の樹脂材料を用いた射出成形によって一体的に形成することができる。
【００３４】
図１に示すように、光レセプタクル２の下端面２ａ上には、下端面２ａに対して上方に凹入された断面略台形状の第１の凹部１０が形成されている。そして、この第１の凹部１０の内底面上には、図１に示すように、１つの第１のレンズ面１１が形成されている。この第１のレンズ面１１は、平面円形状に形成されているとともに、発光素子７側に凸面を向けた球面または非球面の凸レンズ面に形成されている。なお、第１のレンズ面１１上の光軸ＯＡ（１）の軸方向は、第１の凹部１０の内底面およびこれ以外の下端面２ａに直交していてもよい。
【００３５】
このような第１のレンズ面１１には、図１に示すように、光レセプタクル２に光電変換装置３が取り付けられた状態において、発光素子７から出射されたレーザ光Ｌａが下方から入射する。そして、第１のレンズ面１１は、入射したレーザ光Ｌａを、収束（例えば、コリメート）させて光レセプタクル２の内部へと進行させる。
【００３６】
また、図１および図２に示すように、第１のレンズ面１１の反対側には、前述した光レセプタクル２の上端傾斜面２ｃが配置されており、この上端傾斜面２ｃ上には、光分割面１４が配置されている。この光分割面１４には、第１のレンズ面１１に入射した発光素子７のレーザ光Ｌａが、下方から内部入射する。そして、光分割面１４は、内部入射した発光素子７のレーザ光Ｌａを、全反射を利用してモニタ光Ｍと光ファイバ５に結合すべき結合光Ｌｃとに分割する。
【００３７】
より具体的には、図３に示すように、光分割面１４は、下端面２ａに対して角度α〔°〕の傾斜角を有する第１の仮想基準平面Ｓ（α）から下端面２ａと反対側に膨出するように形成された第１の曲面Ｓ（１）と、この第１の曲面Ｓ（１）に連接されるとともに、下端面２ａ対して角度β〔°〕の傾斜角を有する第２の仮想基準平面Ｓ（β）から下端面２ａと反対側に膨出するように形成された第２の曲面Ｓ（２）とによって構成されている。
【００３８】
また、αおよびβは、次の（１）に示す条件式を満足している。
【００３９】
α＞β＞臨界角      （１）
【００４０】
そして、発光素子７のレーザ光Ｌａにおける一部の光は、第１の曲面Ｓ（１）に臨界角よりも大きい入射角で内部入射して、この第１の曲面Ｓ（１）によって、図１および図３における右方に向けて結合光Ｌｃとして全反射される。同時に、発光素子７のレーザ光Ｌａにおける第１の曲面Ｓ（１）への入射光以外の他の一部の光は、第２の曲面Ｓ（２）に、臨界角よりも大きくかつ第１の曲面Ｓ（１）における入射角よりも小さい入射角で内部入射して、この第２の曲面Ｓ（２）によって、図１および図３における右下方に向けてモニタ光Ｍとして全反射される。
【００４１】
なお、図１および図３に示すように、本実施形態においては、第２の曲面Ｓ（２）が、第１の曲面Ｓ（１）よりも下端面２ａ側（下側）であって結合光Ｌｃの全反射方向と反対側（左側）において連接されているため、結合光Ｌｃは、モニタ光Ｍよりも上方の光路上を進行する。
【００４２】
図１に戻って、上端傾斜面２ｃにモニタ光Ｍおよび結合光Ｌｃの全反射方向側（図１における右方）において連接された光レセプタクル２の上端水平面２ｂ上には、下方に向かって、断面略五画形状を有する第２の凹部１６が凹設されている。図１に示すように、第２の凹部１６は、その内底面１６１の左端部に連接された内斜面１６２を有しており、この内斜面１６２は、モニタ光反射面１６２とされている。このモニタ光反射面１６２は、光分割面１４側（左方）に向かうにしたがって上端水平面２ｂ側（上方）に傾くような傾斜平面に形成されている。
【００４３】
このようなモニタ光反射面１６２には、図１に示すように、光分割面１４によって全反射されたモニタ光Ｍが、臨界角よりも大きな入射角で内部入射する。そして、モニタ光反射面１６２は、内部入射したモニタ光Ｍを、下端面２ａにおける受光素子８に対応する位置に向けて全反射させる。このようにしてモニタ光反射面１６２によって全反射されたモニタ光Ｍは、下端面２ａから出射されて、受光素子８に結合される。
【００４４】
一方、第２の凹部１６におけるモニタ光反射面１６２の上端に連接された左内側面１６３と、これに対向する右内側面１６４とは、互いに平行かつ下端面２ａに垂直とされている。
【００４５】
そして、図１に示すように、光分割面１４によって全反射された結合光Ｌｃは、第２の凹部１６における左内側面１６３と右内側面１６４との間の部位を通って光ファイバ５側に進行する。
【００４６】
また、図１に示すように、光レセプタクル２の主要部の右端面２ｄは、光ファイバ５の端面５ａに臨む第２のレンズ面１２に形成されている。この第２のレンズ面１２は、平面円形状に形成されているとともに、光ファイバ５の端面５ａ側に凸面を向けた球面または非球面の凸レンズ面に形成されている。なお、第２のレンズ面１２上における光軸ＯＡ（２）は、光ファイバ５の端面５ａの中心軸に一致することが望ましい。
【００４７】
このような第２のレンズ面１２には、図１に示すように、第２の凹部１６を通過した結合光Ｌｃが内部入射する。そして、第２のレンズ面１２は、この内部入射した結合光Ｌｃを、収束させて光ファイバ５の端面５ａに向けて出射させる。
【００４８】
以上の構成によれば、光分割面１４おける全反射を利用して、発光素子７のレーザ光Ｌａをモニタ光Ｍと結合光Ｌｃとに分割することができるので、モニタ光Ｍの取得およびモニタ光Ｍと結合光Ｌｃとの光量比の調整を、光分割面１４の面形状といった幾何学的な構成のみによって実現することができる。また、光分割面１４を構成する第１の曲面Ｓ（１）および第２の曲面Ｓ（２）の集光機能および全反射方向制御機能を利用して、モニタ光Ｍおよび結合光Ｌｃを、所望の方向に向けて全反射させながら収束させることができるので、各光の光路を自由にレイアウトすることができる。
【００４９】
また、上記構成によれば、モニタ光Ｍを全反射させる第２の曲面Ｓ２を、結合光Ｌｃを全反射させる第１の曲面Ｓ（１）よりも下端面２ａ側に位置させることができるので、モニタ光反射面１６２を経由して下端面２ａから出射されるモニタ光Ｍの光路を設計し易くすることができる。
【００５０】
さらに、上記構成によれば、第１のレンズ面１１および第２のレンズ面１２を介して、光ファイバ５への結合光Ｌｃの結合をさらに適切に行うことができる。
【００５１】
さらにまた、上記構成によれば、モニタ光反射面１６２を光レセプタクル２の面形状のみによって構成することができるので、部品点数をさらに削減することができる。
【００５２】
なお、上記構成に加えて、更に、第１の曲面Ｓ（１）および第２の曲面Ｓ（２）は、それぞれ自由曲面とされていてもよい。
【００５３】
この場合に、自由曲面は、仮想基準平面Ｓ（α）、Ｓ（β）の面法線方向にＺ軸、Ｚ軸に直交する方向にＸ軸、Ｙ軸をとり、Ｚ軸における曲面Ｓ（１）、Ｓ（２）の膨出方向を正とし、ｋを円錐係数、Ｚｓ、Ｚａ、Ｚｃを係数、ｒ＝（Ｘ２＋Ｙ２）１／２、ｒｍａｘをｒの最大値としたとき、次式で表されるものであってもよい。
【００５４】
Ｚ＝ｃｒ２／［１＋{１−（１＋ｋ）ｃ２ｒ２}１／２］＋Ｚｓ・ｒ４／ｒｍａｘ４＋Ｚａ・Ｙ２／ｒｍａｘ２＋（Ｚｃ・ｒ２／ｒｍａｘ２）・（Ｙ／ｒｍａｘ）      （２）
【００５５】
このとき、Ｘ軸は、レンズアレイ２の奥行き方向（図１における紙面垂直方向）にとり、Ｙ軸は、仮想基準平面Ｓ（α）、Ｓ（β）の傾斜方向にとるようにしてもよい。
【００５６】
このように構成すれば、モニタ光Ｍおよび結合光Ｌｃの光路のレイアウトの自由度を更に向上させることができる。
【００５７】
また、上記構成に加えて、更に、第１の曲面Ｓ（１）および第２の曲面Ｓ（２）のそれぞれの面頂点は、第１のレンズ面１１上の光軸ＯＡ（１）および第２のレンズ面１２上の光軸ＯＡ（２）を含む仮想平面（Ａ−Ａ切断面）上に配置されていてもよい。
【００５８】
このように構成すれば、さらに簡便な光路設計を実現することができる。
【実施例】
【００５９】
次に、本実施例においては、図１〜図３に示した光モジュール１を用いたモニタ光Ｍおよび結合光Ｌｃの光量比調整の具体例について説明する。
【００６０】
なお、本実施例においては、レンズアレイ２を、λ＝８５０ｎｍに対する屈折率が１．６４のＰＥＩ（ポリエーテルイミド）によって射出成形した。このような本実施例におけるレンズアレイ２の臨界角は、３８°である。
【００６１】
また、本実施例においては、第１の曲面Ｓ（１）および第２の曲面Ｓ（２）を、いずれも（１）式および（２）式を満足する自由曲面とした。
【００６２】
具体的なパラメータは以下に示す通りである。
【００６３】
＜第１の曲面Ｓ（１）＞
α＝４５°、ｃ＝１／−２．６５８０、Ｘ＝１〔ｍｍ〕、Ｙ＝１．４１４〔ｍｍ〕、ｋ＝−６２、ｒｍａｘ＝０．７０７〔ｍｍ〕、Ｚｓ＝−１．７５０４、Ｚａ＝０．０８７６、Ｚｃ＝０．００２９
【００６４】
＜第２の曲面Ｓ（２）＞
β＝３８°、ｃ＝１／−２．６５８０、Ｘ＝１〔ｍｍ〕、Ｙ＝１．４１４〔ｍｍ〕、ｋ＝−６２、ｒｍａｘ＝０．７０７〔ｍｍ〕、Ｚｓ＝−１．７５０４、Ｚａ＝０．０８７６、Ｚｃ＝０．００２９
【００６５】
このように、第１の曲面Ｓ（１）と第２の曲面Ｓ（２）とは、仮想基準平面の角度（α、β）以外のパラメータが一致している（同一形状である）ため、各曲面Ｓ（１）、Ｓ（２）からそれぞれの面形状のみに応じた設計上の集光点までの光路長は、互いに同一となっている。
【００６６】
また、本実施例においては、第１の曲面Ｓ（１）および第２の曲面Ｓ（２）のそれぞれの面頂点を、第１のレンズ面１１上の光軸ＯＡ（１）および第２のレンズ面１２上の光軸ＯＡ（２）を含む仮想平面（Ａ−Ａ切断面）上に配置した。
【００６７】
さらに、本実施例においては、第１のレンズ面１１上の光軸ＯＡ（１）を、第１の曲面Ｓ（１）と第２の曲面Ｓ（２）との境界線上に配置した。
【００６８】
このような本実施例によれば、モニタ光Ｍと結合光Ｌｃとの光量比を、光路上における吸収やフレネル反射等による損失を無視すれば、ほぼ１：１に調整することができる。因みに、光軸ＯＡ（１）を、第１の曲面Ｓ（１）と第２の曲面Ｓ（２）との境界線に対していずれか一方の曲面側にずらせば、その一方の曲面に対する入射光量を他方の曲面に対する入射光量よりも大きくすることができるので、そのような境界線に対する光軸ＯＡ（１）のずれ量を調整することによって、モニタ光Ｍと結合光Ｌｃとの光量比を調整することも可能である。
【００６９】
なお、本発明は、前述した実施の形態に限定されるものではなく、本発明の特徴を損なわない限度において種々変更してもよい。
【００７０】
例えば、本発明は、光レセプタクルとして、第１のレンズ面１１および第２のレンズ面１２をそれぞれ図１の紙面垂直方向に整列配置したレンズアレイに適用してもよい。この場合には、光電変換装置３の発光素子７および光ファイバ５も、レンズ面１１、１２に応じて複数配置すればよい。
【００７１】
また、本発明は、光導波路等の光ファイバ５以外の光伝送体に適用してもよい。
【符号の説明】
【００７２】
１  光モジュール
２  光レセプタクル
２ａ  下端面
２ｂ  上端水平面
２ｃ  上端傾斜面
２ｄ  右端面
３  光電変換装置
５  光ファイバ
７  発光素子
８  受光素子
１４  光分割面
１６  第２の凹部
１６２  モニタ光反射面
【図１】
0005896136.tif 000002
【図２】
0005896136.tif 000003
【図３】
0005896136.tif 000004